(57)【要約】【課題】眉毛等の染毛の際に、眉毛に簡便かつ均一に、しかも、地肌を汚すことなく液状化粧料を塗布することができる液状化粧料塗布具を提供する。【解決手段】液状化粧料Ｋが収容される塗布具本体１０の先端に少なくとも２以上の櫛歯部２１を有する塗布体２０を備える液状化粧料塗布具Ａであって、上記櫛歯部２１は、櫛歯部２１と櫛歯部２１との間隔となる櫛歯ピッチＰが０．２〜１．０ｍｍであり、かつ、櫛歯部２１の深さＬが上記櫛歯ピッチＰの２〜８倍であることを特徴とする液状化粧料塗布具。【選択図】  図１
2004154173.tif 000002
【特許請求の範囲】
【請求項１】
液状化粧料が収容される塗布具本体の先端に少なくとも２以上の櫛歯部を有する塗布体を備える液状化粧料塗布具であって、上記櫛歯部は、櫛歯部と櫛歯部との間隔となる櫛歯ピッチが０．２〜１．０ｍｍであり、かつ、櫛歯部の深さが上記櫛歯ピッチの２〜８倍であることを特徴とする液状化粧料塗布具。
【請求項２】
Ｅ型粘度計による２５℃、３８．３ｓｅｃ−１における液状化粧料の粘度が１０００ｍＰａ・ｓ以上である請求項１記載の液状化粧料塗布具。
【請求項３】
塗布具本体に収容される液状化粧料は、塗布体の中央部分に供給される構造となる請求項１又は２記載の液状化粧料塗布具。
【請求項４】
塗布体への液状化粧料の供給が塗布具本体に備わる定量吐出機構により行われる請求項１〜３の何れか一つに記載の液状化粧料塗布具。
【発明の詳細な説明】
【０００１】
【発明の属する技術分野】
本発明は、液状化粧料塗布具に関し、更に詳しくは、眉毛等の染毛の際に、眉毛に簡便かつ均一に、しかも、地肌を汚すことなく液状化粧料を塗布することができる液状化粧料塗布具に関する。
【０００２】
【従来の技術】
従来よりアイブロウ用、毛髪用などに用いる液状化粧料塗布具としては、数多くの構造のものが知られている。
【０００３】
このような塗布具としては、例えば、液体誘導路の先方に液体流路の横幅を拡大する液体分散路を介して液体吐出口を設けた液体塗布具において、液体分散路の形状を液体吐出口の中心位置における塗布面に垂直な法線を中心線として左右対称形とすると共に、液体吐出口の両側にブラシを突設したことを特徴とする液体塗布具が知られている（例えば、特許文献１参照。）。
また、毛髪化粧料を収容する容器本体と、その容器本体の上部開口部に嵌合される蓋体とから構成され、前記蓋体の上部には先端方向に延出する一対の壁体と、該壁体の両端部を接続する一対の側壁体とからなるノズル体を設けると共に、ノズル体内には容器本体内と連通する連通路を設け、更に連通路と連通する吐出口をノズル体の先端面に形成し、容器本体に収容された毛髪化粧料を連通路を介して四角形状の吐出口から吐出するように構成し、前記壁体の少なくとも一先端部に複数の櫛歯を配設したことを特徴とする毛髪化粧料塗布具が知られている（例えば、特許文献２参照。）。
【０００４】
【特許文献１】
実開平６−６０４７１号公報（実用新案登録請求の範囲、図面等）
【特許文献２】
特開２００１−１４５５１４号公報（特許請求の範囲、図面等）
【０００５】
しかしながら、上記特許文献１に開示の液体塗布具は、液体吐出口が軸方向に長く、微妙な曲線の眉毛を塗布することには適さず、かつ、眉毛に均一に塗布することもできず、また、地肌を汚すことがあるなどの課題を有するものである。また、上記特許文献２に開示の毛髪化粧料塗布具では、四角形状の吐出口に複数の櫛歯を配設したものも記載されるが、櫛歯間の間隔及び櫛歯の深さとの関係が塗布状態にどのような影響があるかなどについては記載も示唆もなく、また、該塗布具の吐出口が四角形状であるため、眉毛等の細かい箇所に均一に塗布することは難しいものであり、しかも、吐出量も多量となるため、地肌を汚すことがあるなどの課題を有するものである。
【０００６】
【発明が解決しようとする課題】
本発明は、上記従来の課題等に鑑み、これを解消しようとするものであり、吐出状態に優れ、眉毛の染毛等の際に、眉毛に簡便かつ均一に、しかも、地肌を汚すことなく液状化粧料を塗布することができる使用性に優れた液状化粧料塗布具を提供することを目的とする。
【０００７】
【課題を解決するための手段】
本発明者らは、上記従来の課題等について、鋭意検討した結果、液状化粧料が収容される塗布具本体の先端に特定構造となる塗布体を設けることなどにより、上記目的の液状化粧料塗布具を得ることに成功し、本発明を完成するに至ったのである。
すなわち、本発明は、次の（１）〜（４）に存する。
（１）  液状化粧料が収容される塗布具本体の先端に少なくとも２以上の櫛歯部を有する塗布体を備える液状化粧料塗布具であって、上記櫛歯部は、櫛歯部と櫛歯部との間隔となる櫛歯ピッチが０．２〜１．０ｍｍであり、かつ、櫛歯部の深さが上記櫛歯ピッチの２〜８倍であることを特徴とする液状化粧料塗布具。
（２）  Ｅ型粘度計による２５℃、３８．３ｓｅｃ−１における液状化粧料の粘度が１０００ｍＰａ・ｓ以上である上記（１）記載の液状化粧料塗布具。
（３）  塗布具本体に収容される液状化粧料は、塗布体の中央部分に供給される構造となる上記（１）又は（２）記載の液状化粧料塗布具。
（４）  塗布体への液状化粧料の供給が塗布具本体に備わる定量吐出機構により行われる上記（１）〜（３）の何れか一つに記載の液状化粧料塗布具。
【０００８】
【発明の実施の形態】
以下に、本発明の実施の形態を図面を参照しながら詳しく説明する。
図１及び図２は、本発明の液状化粧料塗布具の実施形態の一例を示すものである。本実施形態の液状化粧料塗布具Ａは、図１及び図２の各（ａ）〜（ｃ）に示すように、液状化粧料Ｋが収容される塗布具本体１０の先端に塗布体２０を備えたものである。なお、図示符号３０は、先軸であり、塗布具本体１０の先端部に固着され、塗布体２０を保持する構造となっている。また、図示符号４０は、塗布体２０を覆うキャップ体であり、塗布具本体１０の先端部に着脱自在に取り付けられるものである。
【０００９】
この塗布具本体１０には、液状化粧料Ｋを収容する収容部１１を有すると共に、上記液状化粧料Ｋを前方の塗布体２０へ定量吐出させる押圧機構１２を有している。押圧機構１２は、図１（ａ）に示すように、固定筒状体１３と、繰出体１４と、螺子棒１５と、ピストン１６と、回動体１７とを備えたものである。
本実施形態の液状化粧料塗布具Ａでは、塗布具本体１０の後方に位置する回動体１７を一定方向（時計方向）へと回転させることにより、塗布具本体１０内の液状化粧料Ｋを塗布体２０に定量供給することができるものとなっている。すなわち、回動体１７を一定方向へと回転させると、これに伴って繰出体１４及び螺子棒１５が同方向へと回転する。この螺子棒１５は前記固定筒状体１３に螺合しているため、螺子棒１５は時計方向へと回転しつつ前方へと移動する。この結果、螺子棒１５の前端部に連結されているピストン１６は前方へと移動し、液状化粧料Ｋは供給路１８を通過して前方の塗布体２０へと吐出（供給）される構造となっている。また、回動体１７の１クリックごとに、クリック音を生じると共に、１クリック当たり３〜８マイクロリットル、本実施形態では、塗布体２０内の保持空間部で良好に保持される料となる４マイクロリットルの吐出量で塗布体に供給される定量吐出機構となっている。
【００１０】
本実施形態における塗布体２０は、図１（ｂ）及び（ｃ）に示すように、先端に櫛歯部２１，２１…を有する筒状体から構成されており、該筒状体内の中央部には液状化粧料Ｋを供給する供給路１８が設けられている。また、この塗布体２０には、図１（ａ）及び（ｃ）に示すように、その中央部分に供給路１８の出口となる吐出口２２を有している。これにより、塗布具本体１０に収容される液状化粧料Ｋは、上記回動体１７の操作（回動）により、塗布体２０の中央部分に定量供給される構造となっている。
【００１１】
本実施形態の塗布体２０は、合成樹脂などで構成されるものであり、図１（ｂ）に示すように、櫛歯部２１と櫛歯部２１との間隔となる櫛歯ピッチＰが０．２〜１．０ｍｍであり、かつ、各櫛歯部２１の深さＬが上記櫛歯ピッチＰの２〜８倍とする必要があり、好ましくは、櫛歯ピッチＰが０．４〜０．８ｍｍであり、かつ、各櫛歯部２１の深さＬが上記櫛歯ピッチＰの４〜６倍とすることが望ましい。
【００１２】
この櫛歯部２１の櫛歯ピッチＰ及び深さＬを上記各範囲（Ｐ＝０．２〜１．０ｍｍ、Ｌ＝２〜８倍）に限定することにより、櫛歯と櫛歯の間の空間に液状化粧料が必要量入り込み、眉毛１本、１本に液状化粧料を簡単にムラなく、かつ均一に綺麗に塗布することができるものとなる。
上記櫛歯ピッチＰが０．２ｍｍ未満の場合は、眉毛が櫛歯と櫛歯の間に入り難く、液状化粧料を均一に塗布することができず、また、１．０ｍｍを越える場合は、眉毛表面にしか液状化粧料が塗布できず、化粧仕上がりが悪く、化粧落ちし易いなどの課題を生じることとなり、好ましくない。
また、上記各櫛歯部２１の深さＬが櫛歯ピッチＰの２倍未満であると、櫛歯と櫛歯の間の空間が少ないため、液状化粧料の塗布量も少なくなり、仕上がりが悪くなり、また、深さＬが櫛歯ピッチＰの８倍を越える場合は、櫛歯の先端まで液状化粧料が到達する前に櫛歯側面から溢れ出すため、塗布できない状態となり、好ましくない。
【００１３】
更に、上記各櫛歯の幅方向の長さＷも、眉毛１本、１本に液状化粧料を簡単にムラなく、かつ均一に綺麗に塗布するために、好ましくは、０．２〜１．０ｍｍ、更に好ましくは、０．４〜０．８ｍｍとすることが望ましい。
本実施形態における塗布体２０は、上述の如く、合成樹脂で構成されるものであり、塗布性に悪影響を及ぼすものでなければ、特に限定させるものではなく、例えば、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種、又は２種以上の組み合わせからなる樹脂、更に、フィラーなどの補強充填材を含有した上記各種樹脂等から構成することができる。
【００１４】
本実施形態の液状化粧料塗布具Ａでは、良好な吐出状態とするために、図１（ａ）及び（ｃ）に示すように、塗布体２０の中央部分に供給路１８の出口となる吐出口２２を有する構造としており、塗布具本体１０に収容される液状化粧料Ｋは上記回動体１７の操作（回動）により、塗布体２０の中央部分に供給される構造となるものである。
【００１５】
本実施形態の塗布具Ａに用いる液状化粧料としては、通常、眉毛に用いられる液状アイブロウ液などの液状化粧料であれば、その配合組成は特に限定されず、例えば、水添ポリイソブテンや揮発性シリコンを主溶剤とした油性処方であっても、水を主溶剤とした水性処方であっても、また油中水型、水中油型の処方であっても何等問題はない。主溶剤以外の配合成分としては、例えば、樹脂、ワックス類、エタノール等の溶剤、グリコール類、グリセリン類及びポリグリコール類等の保湿成分、体質顔料、着色剤としての無機顔料、有機顔料、パール顔料等が挙げられ、更に、これらの成分の他に、通常の液状アイブロウ液に用いられる任意成分、例えば、界面活性剤、防腐剤、酸化防止剤、紫外線吸収剤、ビタミン類、香料、増粘剤、処方によってはｐＨ調整剤、キレート剤等を含有することができる。
【００１６】
本実施形態の液状化粧料塗布具Ａにおいて、上記櫛歯２１の形状の塗布体２０と組み合わされる液状化粧料の粘度は、上記液状アイブロウ液などに用いられるものであれば、粘度の高低に拘わらず好適に使用することができるが、好ましくは、塗布体の先端を下向きに使用しても液ダレを起こさず、更に良好な塗布性能を発揮する点から、Ｅ型粘度計による２５℃、３８．３ｓｅｃ−１にける液状化粧料の粘度を１０００ｍＰａ・ｓ以上、更に好ましくは、２５００〜６０００ｍＰａ・ｓとすることが望ましい。なお、用いる液状化粧料は、ニュートン流体であっても、非ニュートン流体であってもよいものである。
【００１７】
上記実施形態の液状化粧料塗布具Ａにおいて、櫛歯部２１の数を３つとし、吐出口２２を１つとしたが、眉毛上に塗布し易いものであれば、櫛歯の数は少なくとも２つ以上、また、吐出口の数は１つ以上であれば、特に限定されず、図３に示すように、吐出口２２を各櫛歯部２１間の中央部分に設けてもよく、また、図４に示すように、櫛歯部２１の数を４つとし、吐出口２２を各櫛歯部２１間の中央部分に設けてもよいものである。
【００１８】
このように構成される液状化粧料塗布具Ａでは、図１及び図２に示すように、回動体１７を一定方向へと１クリック回転させると、これに伴って繰出体１４及び螺子棒１５が同方向へと回転すると共に、該螺子棒１５も同一方向へと回転しつつ前方へと移動する。これにより、螺子棒１５の前端部に連結されているピストン１６は前方へと移動し、収容室１１内の液状化粧料Ｌは供給路１８を通過して前方の塗布体２０の吐出口２２に塗布体２０の内容積に沿う液状化粧料Ｋが定量供給される〔図２（ｂ）参照〕。
この塗布具Ａにおける塗布部２０の先端に有する各櫛歯部２１は、櫛歯部２１と櫛歯部２１との間隔となる櫛歯ピッチが０．２〜１．０ｍｍであり、かつ、櫛歯部の深さが上記櫛歯ピッチの２〜８倍であるため、眉毛は櫛歯部２１、２１間を通しながら液状アイブロウ液となる液状化粧料を塗布することができると共に、地肌まで塗布することがなく、また、毛の生え際などの部分までムラなく均一に塗布できることとなる。また、この塗布具Ａは、筆記具なみに小型化（ペン体）することもできるので、携帯性に優れたものとなる。
また、液状化粧料の粘度を１０００ｍＰａ・ｓ以上、更に好ましくは、２５００〜６０００ｍＰａ・ｓとすることにより、液状化粧料の液ダレもなく、均一な塗布を行うことができるものとなる。
【００１９】
本発明の液状化粧料塗布具は、上述のように構成され、使用されるものであるが、本発明の液状化粧料塗布具は、塗布部２０の構造を特徴とするもの、すなわち、櫛歯部２１と櫛歯部２１との間隔となる櫛歯ピッチが０．２〜１．０ｍｍであり、かつ、櫛歯部の深さが上記櫛歯ピッチの２〜８倍であるものであれば、この構造以外の塗布具本体１０、定量吐出機構１４などの構造、形状等は何等限定されるものではなく、本発明の要旨を変更しない範囲で種々の態様に設計変更等できるものである。
例えば、上記実施形態では、回動体１７の回動（クリック）ごとに、液状化粧料を定量吐出したが、塗布具本体内に着脱自在となるカートリッジ式の液体タンク、該液体タンクの後端を押圧してバルブ装置から液状化粧料を定量吐出させて塗布体へ供給する構造、例えば、特開平７−２７５７８２号公報に記載の定量吐出機構であってもよい。
【００２０】
【実施例】
次に、実施例及び比較例となる試験例により本発明を更に詳述するが、本発明は、下記の実施例等に限定されるものではない。
【００２１】
〔試験例１〕
下記表１の配合組成となる試料１〜６の液状アイブロウ用となる各液状化粧料を調製した。すなわち、下記表１に示す原材料を秤量後、８０℃まで加温し、ホモミキサーにて混合して、各試料１〜６を調製した。
得られた各試料１〜６をＥ型粘度計（トキメック社製）を用いて、２５℃、３８．３ｓｅｃ−１における各粘度を測定した。各粘度は、下記表１に示すとおりであった。
【００２２】
【表１】
2004154173.tif 000003
【００２３】
上記表１の試料１〜６（各２．４ｍｌ）を図１に示す定量吐出機構を備えた塗布具Ａの収容室１１に収容した。また、塗布体２０の先端部には、下記表２〜表６に示す各櫛歯ピッチ（０．２ｍｍ〜１．０ｍｍ）、並びに、各ピッチで任意の比率となる櫛歯部深さの櫛歯部となる塗布体（材質：ポリアセタール製）を夫々作製して下記評価方法により、吐出性、塗布性等の評価を行った。なお、定量吐出機構は、１クリック当たり４マイクロリットルの吐出量である。
これらの結果を下記表２〜表６に示す。表２〜表６中において、櫛深さ／櫛ピッチ＝１〜１０とは、例えば、櫛深さ／櫛ピッチ＝８の場合は、櫛歯ピッチが０．４ｍｍのとき、櫛歯深さは３．２ｍｍとなることを意味する。
【００２４】
〔吐出性、塗布性などの評価方法〕
上記で得た各試料が収容され、各櫛歯ピッチ及び櫛歯部の深さの組合わせからなる塗布体を備えた塗布具の吐出状態を目視で下記評価基準で評価すると共に、眉毛への塗布性を下記評価基準で評価した。
なお、吐出状態は、塗布体を上に向け、１クリック毎秒の速さで吐出した時の状態である。
評価基準：
◎：液状化粧料が櫛歯の間の空間を埋めるように先端まで吐出され、下向きにしても液ダレがない。また、地肌を汚すことなく、眉毛に均一に綺麗に塗布することができる。
○：液状化粧料が櫛歯の間の空間を埋めるように先端まで吐出され、下向きにしても液ダレがない。また、地肌に若干の液状化粧料の付着が認められるが、眉毛に綺麗に塗布することができる。
△：液状化粧料が櫛歯の間の空間を埋めるように先端付近まで吐出される。下向きにすると液ダレが若干認められるが、眉毛には塗布することができる。
×：液状化粧料が櫛歯の先端まで到達する前に、櫛歯の側面部から溢れでてしまい、眉毛に塗布しがたいものとなる〔図５（ａ）及び（ｂ）参照〕。
××：液状化粧料が櫛歯の根元付近から溢れでてしまい、眉毛への塗布ができないものとなる。
−：定量吐出した時に、櫛歯の先端から液状化粧料が溢れ出てしまい、眉毛ひの微細な塗布ができないものとなる。
【００２５】
【表２】
2004154173.tif 000004
【００２６】
【表３】
2004154173.tif 000005
【００２７】
【表４】
2004154173.tif 000006
【００２８】
【表５】
2004154173.tif 000007
【００２９】
【表６】
2004154173.tif 000008
【００３０】
上記表２〜表６の結果から明らかなように、櫛歯ピッチが０．２〜１．０ｍｍとなり、かつ、櫛歯部の深さが上記櫛歯ピッチの２〜８倍であるものは、吐出性、並びに、塗布性に優れていることが判明した。
これに対して、櫛歯ピッチが０．２〜１．０ｍｍとなるものであっても、櫛歯部の深さが上記櫛歯ピッチの２倍未満、または、８倍を超えるものでは、吐出性、並びに、塗布性を満足することができないものであった。
特に、上記櫛歯ピッチが０．２〜１．０ｍｍで、櫛歯部の深さが上記櫛歯ピッチの２〜８倍であり、液状化粧料である試料の粘度が１０００ｍＰａ・ｓ以上のものは更に吐出性、塗布性に優れるものであった。
【００３１】
【発明の効果】
請求項１に記載の発明によれば、吐出性に優れると共に、眉毛等の染毛の際に、眉毛等に簡便かつ均一に、しかも、地肌を汚すことなく液状化粧料を塗布することができる液状化粧料塗布具が提供される。
請求項２〜４に記載の発明によれば、更に吐出性、塗布性、使用性に優れた液状化粧料塗布具が提供される。
【図面の簡単な説明】
【図１】（ａ）は、液状化粧料塗布具の概略断面図であり、（ｂ）は、塗布体部分を示す正面図であり、（ｃ）は、塗布体の左側面図である。
【図２】（ａ）は、液状化粧料塗布具の一部部分断面を示す側面図であり、（ｂ）は、塗布体の吐出状態を示す正面図であり、（ｃ）は、（ｂ）の平面図である。
【図３】本発明の液状化粧料塗布具における塗布体の別の実施形態の一例を示す左側面図と正面図である。
【図４】本発明の液状化粧料塗布具における塗布体の更に別の実施形態の一例を示す左側面図と正面図である。
【図５】（ａ）は、本発明の範囲外となる塗布体を有する液状化粧料塗布具を用いた場合の吐出状態（液ダレ状態）を示す正面図であり、（ｂ）は、（ａ）の平面図である。
【符号の説明】
Ａ  液状化粧料塗布具
１０  塗布具本体
２０  塗布体
２１  櫛歯部
【図１】
2004154173.tif 000009
【図２】
2004154173.tif 000010
【図３】
2004154173.tif 000011
【図４】
2004154173.tif 000012
【図５】
2004154173.tif 000013